(57)【要約】【課題】子供の睡眠態様を推定可能とする技術の提供。【解決手段】睡眠検査装置は、感圧センサと、取得部Ｓ１１０，Ｓ１７０と、生成部Ｓ１４０，Ｓ１５０と、推定部Ｓ１８０〜Ｓ２１０とを備える。生成部は、取得部で取得した被験者の体圧の分布に基づいて、当該被験者の体動の推移を表す体動データを生成するＳ１４０，Ｓ１５０。推定部は、生成部で生成された体動データに基づいて、当該被験者の睡眠態様を推定するＳ１８０〜Ｓ２１０。【選択図】図２
2017189525.tif 000002
【特許請求の範囲】
【請求項１】
被験者（６）の体圧の分布を計測する感圧センサ（１０）であって、シート状に形成された感圧センサと、
前記感圧センサでの計測結果を繰り返し取得する取得部（４４，Ｓ１１０，Ｓ１７０）と、
前記取得部で取得した前記被験者の体圧の分布に基づいて、当該被験者の体動の推移を表す体動データを生成する生成部（４４，Ｓ１４０，Ｓ１５０）と、
前記生成部で生成された体動データに基づいて、当該被験者の睡眠態様を推定する推定部（４４，Ｓ１８０〜Ｓ２２０）と
を備える、睡眠検査装置（１）。
【請求項２】
前記感圧センサは、荷重を体圧として計測する複数の荷重センサ（１２）のそれぞれがシート材（１４）に分散して配置され、
前記生成部は、
前記取得部で取得した前記感圧センサの計測結果に基づいて、当該感圧センサ上の被験者の腹部及び胸部の位置を特定する特定部（４４，Ｓ１４０）と、
前記特定部で特定した腹部の位置における体圧の推移を表す腹部体動データ、及び前記特定部で特定した胸部の位置における体圧の推移を表す胸部体動データの各々を、前記体動データとして生成する導出部（４４，Ｓ１７０）と
を備え、
前記推定部は、
前記生成部で生成された腹部体動データにおけるピークと胸部体動データにおけるピークとが逆位相であり、かつ、前記腹部体動データと前記胸部体動データとの差分が、予め規定された閾値以上であれば、前記被験者の睡眠態様が睡眠時無呼吸であるものと推定する、請求項１に記載の睡眠検査装置。
【請求項３】
前記生成部は、
前記取得部で繰り返し取得した前記感圧センサの計測結果に基づいて、前記被験者の体圧の分布における推移を表す体動マップを導出する体動導出部（４４，Ｓ１５０）、を更に備え、
前記導出部は、
前記体動導出部にて導出した体動マップに従って、前記腹部体動データ及び前記胸部体動データを、前記体動データとして生成する、請求項２に記載の睡眠検査装置。
【請求項４】
前記導出部で導出された体動マップを表示装置（５４）に表示させる表示制御部（４４，Ｓ１６０）、を更に備える、請求項３に記載の睡眠検査装置。
【請求項５】
前記取得部で取得した前記感圧センサの計測結果に基づいて、前記被験者の体圧の分布を表す荷重マップを導出する荷重導出部（４４，Ｓ１３０）、を更に備え、
前記特定部は、
前記荷重導出部で導出された荷重マップにおいて、荷重が最も大きい領域を臀部として特定し、その臀部における荷重よりも荷重が小さい領域を胸部とし、前記臀部と前記胸部との間の領域を腹部として特定する、請求項２から請求項４までのいずれか１項に記載の睡眠検査装置。
【請求項６】
前記推定部は
前記被験者の睡眠態様が睡眠時無呼吸であるものと推定した回数を計測するカウント部（４４，Ｓ１９０）を更に備え、
前記カウント部で計測した回数が、単位時間当たりに予め規定された閾値以上となると、前記被験者の睡眠態様が睡眠時無呼吸症候群であるものと推定する、請求項２から請求項５までのいずれか１項に記載の睡眠検査装置。
【請求項７】
前記推定部は
前記体動データにおけるピークに周期性が認められなければ、前記睡眠時無呼吸ではないものと推定する、請求項２から請求項６までのいずれか１項に記載の睡眠検査装置。
【発明の詳細な説明】
【技術分野】
【０００１】
本発明は、被験者の睡眠態様を検査する睡眠検査装置に関する。
【背景技術】
【０００２】
特許文献１に記載されているように、被験者の動脈血酸素飽和度（以下、ＳｐＯ２）を計測する光学式脈波センサと、光学式脈波センサで計測したＳｐＯ２に基づいて、被験者の睡眠態様を推定する処理部とを備えた睡眠検査装置が知られている。
【先行技術文献】
【特許文献】
【０００３】
【特許文献１】特開２００７−２７５３４９号公報
【発明の概要】
【発明が解決しようとする課題】
【０００４】
特許文献１に記載の睡眠検査装置では、被験者の睡眠態様を推定するために、光学式脈波センサを被験者に取り付ける必要がある。
子供を被験者として睡眠態様を推定することを想定する。一般的に、子供は、就寝時の寝返りが多く、センサを体に取り付けて計測することが困難である。
【０００５】
つまり、従来の技術では、子供の睡眠態様を推定することが困難であるという課題がある。
そこで、本発明は、子供の睡眠態様を推定可能とする技術を提供することを目的とする。
【課題を解決するための手段】
【０００６】
上記目的を達成するためになされた本発明の一態様は、感圧センサ（１０）と、取得部（４４，Ｓ１１０，Ｓ１７０）と、生成部（４４，Ｓ１４０，Ｓ１５０）と、推定部（４４，Ｓ１８０〜Ｓ２１０）とを備える、睡眠検査装置（１）に関する。
【０００７】
感圧センサは、被験者（６）の体圧の分布を計測する。取得部は、感圧センサでの計測結果を繰り返し取得する。
生成部は、取得部で取得した被験者の体圧の分布に基づいて、体動データを生成する。体動データは、当該被験者の体動の推移を表す。推定部は、生成部で生成された体動データに基づいて、当該被験者の睡眠態様を推定する。
【０００８】
発明者らは、就寝中の子供が睡眠時無呼吸症候群である場合、その子供の体動の変化に睡眠時無呼吸症候群に特有の特徴が表出するとの知見を得た。
本発明の一態様は、この知見に基づくものであり、子供を被験者とした場合であっても、その被験者の体動データに基づいて、当該被験者（即ち、子供）の睡眠態様を推定する。
【０００９】
特に、睡眠検査装置においては、シート状に形成された感圧センサを用いるため、その感圧センサ上に被験者が寝ているだけで、被験者の体動の推移を取得できる。すなわち、睡眠検査装置によれば、被験者の体にセンサを装着する必要がなく、就寝時の寝返りが多い子供であっても、睡眠態様を推定できる。
【００１０】
換言すれば、睡眠検査装置によれば、子供の睡眠態様を推定可能とする技術を提供できる。
ところで、睡眠時無呼吸症候群では、睡眠時に無呼吸である睡眠時無呼吸が継続した後に努力呼吸が行われる。特に、発明者らが鋭意研究を行った結果、睡眠時の子供が努力呼吸を行った場合、腹部における荷重の推移と、胸部における荷重の推移とが逆位相、即ち、腹部における荷重のピークと、胸部における荷重のピークとが反転するとの知見が得られた。さらに、睡眠時の子供が努力呼吸を行った場合、その努力呼吸のタイミングで、腹部における荷重（即ち、体動）の推移と胸部における荷重（即ち、体動）の推移との差分が大きくなるとの知見が得られた。
【００１１】
そこで、感圧センサは、荷重を計測する複数の荷重センサ（１２）のそれぞれがシート材（１４）に分散して配置されていてもよい。
さらに、睡眠検査装置における生成部は、特定部（４４，Ｓ１４０）と、導出部（４４，Ｓ１７０）とを備えていてもよい。
【００１２】
特定部は、取得部で取得した感圧センサの計測結果に基づいて、当該感圧センサ上の被験者の腹部及び胸部の位置を特定する。導出部は、特定部で特定した腹部の位置における体圧の推移を表す腹部体動データ、及び特定部で特定した胸部の位置における体圧の推移を表す胸部体動データの各々を、体動データとして生成する。
【００１３】
この場合、推定部は、生成部で生成された腹部体動データにおけるピークと胸部体動データにおけるピークとが逆位相であり、かつ、腹部体動データと胸部体動データとの差分が、予め規定された閾値以上であれば、被験者の睡眠態様が睡眠時無呼吸であるものと推定する。
【００１４】
睡眠検査装置によれば、子供を被験者とした場合において、努力呼吸が実施されたタイミングを特定でき、その努力呼吸が実施されたタイミングの前に無呼吸である状態が存在することを特定できる。
【００１５】
したがって、睡眠検査装置によれば、被験者の睡眠態様が睡眠時無呼吸であることを推定できる。
【図面の簡単な説明】
【００１６】
【図１】睡眠検査装置の概略構成を示す説明図である。
【図２】睡眠検査処理の処理手順を示すフローチャートである。
【図３】荷重マップを説明する説明図である。
【図４】体動マップを説明する説明図である。
【図５】努力呼吸及び睡眠時無呼吸の判定方法を説明する説明図であり、（Ａ）は腹部体動データ及び胸部体動データを示す説明図であり、（Ｂ）は腹部体動データ及び胸部体動データの差分を示す説明図である。
【発明を実施するための形態】
【００１７】
以下に本発明の実施形態を図面と共に説明する。
＜１．１  睡眠検査装置＞
図１に示す睡眠検査装置１は、被験者６の睡眠態様を検査する装置である。
【００１８】
被験者６とは、睡眠態様を検査する対象としての人物である。本実施形態における被験者６の一例として、小児、即ち、子供が考えられる。また、睡眠態様とは、睡眠の状態であり、睡眠時無呼吸症候群を含む。睡眠時無呼吸症候群とは、呼吸が停止または小さくなる睡眠時無呼吸が睡眠時に現れる病気である。以下では、睡眠時無呼吸症候群をＳＡＳ（ｓｌｅｅｐ  ａｐｎｅａ  ｓｙｎｄｒｏｍｅ）とも称す。
【００１９】
睡眠検査装置１は、感圧センサ１０と、制御装置４０と、表示装置５４とを備えている。
感圧センサ１０は、被験者６の体圧の分布を検出する。感圧センサ１０は、複数の荷重センサ１２を有し、その複数の荷重センサ１２がシート部材１４に格子状に分散して固定されることで構成されている。荷重センサ１２とは、接触による圧力、ひいては、荷重を体圧として検出するセンサである。シート部材１４は、シート状に形成された部材である。
【００２０】
表示装置５４は、制御装置４０からの信号に従って情報を表示する装置である。表示装置５４の一例として、液晶ディスプレイが考えられる。
制御装置４０は、記憶部４２と、制御部４４とを備えている。
【００２１】
記憶部４２は、記憶内容を読み書き可能に構成された記憶装置である。
制御部４４は、ＲＯＭ４６，ＲＡＭ４８，ＣＰＵ５０を備えた周知のマイクロコンピュータを有した周知の制御装置である。
【００２２】
ＲＯＭ４６には、感圧センサ１０でのセンシング結果に基づいて睡眠検査処理を制御部４４に実行させるための処理プログラムが格納されている。この睡眠検査処理とは、感圧センサ１０上の被験者６の睡眠態様を検査する処理である。
＜１−２．睡眠検査処理＞
睡眠検査処理は、予め規定された規定時間間隔（例えば、１０［ｍｓ］）で繰り返し起動される。
【００２３】
睡眠検査処理が起動されると、制御部４４は、図２に示すように、感圧センサ１０から検出信号を取得する（Ｓ１１０）。すなわち、Ｓ１１０では、制御部４４は、感圧センサ１０に加わっている荷重の分布を取得する。
【００２４】
続いて、制御部４４は、被験者６が在床であるか否かを判定する（Ｓ１２０）。Ｓ１２０では、制御部４４は、感圧センサ１０で計測した荷重が、予め定められた荷重閾値以上であれば、感圧センサ１０上に被験者６が存在するもの、即ち、在床であるものと判定すればよい。この在床であるか否かの判定に用いる荷重は、感圧センサ１０が備える荷重センサ１２で計測した荷重の和であってもよいし、荷重センサ１２で計測した荷重の代表値であってもよい。
【００２５】
このＳ１２０での判定の結果、被験者６が在床していなければ（Ｓ１２０：ＮＯ）、制御部４４は、睡眠検査処理を終了する。そして、制御部４４は、次の起動タイミングまで待機する。
【００２６】
一方、被験者６が在床していれば（Ｓ１２０：ＹＥＳ）、制御部４４は、Ｓ１１０で取得した感圧センサ１０からの検出信号に基づいて、荷重マップを作成し、記憶部４２に記憶する（Ｓ１３０）。荷重マップとは、被験者６の体圧の分布を表すマップである。Ｓ１３０では、制御部４４は、感圧センサ１０が備える荷重センサ１２の各々で計測した荷重を、その荷重センサ１２の配置位置に応じて配置することで、荷重マップを作成すればよい。なお、ここで言う配置には、ＲＡＭ４８上に展開することを含む。
【００２７】
さらに、睡眠検査処理では、制御部４４は、Ｓ１３０で作成された荷重マップに基づいて、その荷重マップにおける被験者６の胸部の位置及び腹部の位置を特定し、被験者６の胸部の位置及び腹部の位置を記憶部４２に記憶する（Ｓ１４０）。具体的にＳ１４０では、制御部４４は、図３に示すように、荷重マップにおいて荷重が最も大きい領域を臀部として特定する。そして、制御部４４は、その臀部における荷重よりも荷重が小さい領域を胸部とし、臀部と胸部との間の領域を腹部として特定する。なお、図３においては、ハッチングの種類に応じて荷重の大きさを表している。具体的に図３におけるハッチングは、荷重の大きさが、臀部における荷重、胸部における荷重、腹部における荷重の順序で小さいことを表している。
【００２８】
続いて、制御部４４は、被験者６の体圧の分布に基づいて体動データを生成し、記憶部４２に記憶する（Ｓ１５０）。体動データとは、被験者６の体動の推移を表すデータであり、例えば、被験者６の各部位における動きを表すデータである。具体的にＳ１５０では、制御部４４は、荷重センサ１２の各々で計測した荷重の時間軸に沿った差分を算出し、その差分を、荷重センサ１２の配置位置に応じてマッピングすることで体動データを作成すればよい。
【００２９】
すなわち、本実施形態における体動データは、図４に示すような体動マップである。体動マップとは、被験者６の各部位における体圧の推移を表すマップである。体圧の推移とは、体動としての圧力の変化（即ち、推移）を示したものである。なお、図４に示す体動マップは、特定のタイミングにおける被験者の体動の状況を示したものである。さらに、図４に示す体動マップでは、ハッチングの種類に応じて体動の大きさ及び体動の向きを示している。具体的に図４では、胸部の体動と腹部の体動と逆向きであることを示している。
【００３０】
そして、睡眠検査処理では、制御部４４は、Ｓ１５０で生成された体動データ、即ち、体動マップを表示装置５４に出力する（Ｓ１６０）。体動マップを受信した表示装置５４は、その体動マップを表示する。
【００３１】
続いて、睡眠検査処理では、制御部４４は、腹部体動データ、及び胸部体動データを特定する（Ｓ１７０）。腹部体動データは、被験者６の腹部の位置における体圧の推移（即ち、体動）を表すデータである。また、胸部体動データは、被験者６の胸部の位置における体圧の推移（即ち、体動）を表すデータである。
【００３２】
制御部４４は、体動マップにおいて、被験者６の腹部に対応する領域での体動の代表値を、腹部体動データとして特定すればよい。また、制御部４４は、体動マップにおいて、被験者６の胸部に対応する領域での体動の代表値を、胸部体動データとして特定すればよい。代表値とは、代表的な値であり、平均値、中央値、最頻値などを含む。
【００３３】
続いて、睡眠検査処理では、制御部４４は、努力呼吸のタイミングを特定し、その特定した努力呼吸のタイミングを記憶部４２に記憶する（Ｓ１８０）。このＳ１８０では、制御部４４は、次の条件１、条件２の双方を満たしていれば、努力呼吸のタイミングとして特定する。
【００３４】
条件１は、図５（Ａ）に示すように、腹部体動データにおけるピークと胸部体動データにおけるピークとが逆位相であることである。ピークとは、腹部体動データ及び胸部体動データにおける頂点の各々である。このピークには、変曲点を含む。逆位相とは、極性が反転した状態である。
【００３５】
条件２は、図５（Ｂ）に示すように、腹部体動データと胸部体動データとの差分が、予め規定された閾値以上であることである。
すなわち、睡眠時無呼吸症候群では、睡眠時無呼吸が継続した後に努力呼吸が行われる。特に、睡眠時の子供が努力呼吸を行った場合、腹部における荷重の推移と、胸部における荷重の推移とが逆位相、即ち、腹部における荷重のピークと、胸部における荷重のピークとが反転する。さらに、睡眠時の子供が努力呼吸を行った場合、その努力呼吸のタイミングで、腹部における荷重（即ち、体動）の推移と胸部における荷重（即ち、体動）の推移との差分が大きくなる。
【００３６】
これらのことから、努力呼吸が実施された場合、その努力呼吸の前に睡眠時無呼吸が生じているものとして、睡眠検査処理では、努力呼吸のタイミングを特定して記憶部４２に記憶する。なお、睡眠時無呼吸とは、睡眠時に、呼吸が停止または小さくなる状態である。また、努力呼吸とは、吸気時に補助呼吸筋を動かしたり、呼気時に内肋間筋や腹筋などを動かしたりして、努力的に行う呼吸である。
【００３７】
さらに、睡眠検査処理では、制御部４４は、被験者６の睡眠態様が睡眠時無呼吸であるものと推定した回数を計測する無呼吸カウンタの値を、１つインクリメントする（Ｓ１９０）。
【００３８】
続いて、睡眠検査処理では、制御部４４は、記憶部４２に記憶されている努力呼吸のタイミングに基づいて、体動データにおけるピークに周期性、即ち、努力呼吸のタイミングに周期性が認められるか否かを判定する（Ｓ２００）。ここでいう周期性とは、時間軸に沿って連続する努力呼吸のタイミングの差が、規定された許容範囲内となることである。ただし、周期性の有無の判定方法は、これに限るものではなく、例えば、体動データにおけるピークの出現タイミングが、規定された時間間隔の範囲内である場合に、周期性があると判定してもよい。
【００３９】
なお、Ｓ２００では、制御部４４は、努力呼吸のタイミングに周期性が認められなければ、無呼吸カウンタの値を１つデクリメントしてもよい。
そして、睡眠検査処理では、制御部４４は、予め定められた適合条件を満たすか否かを判定する（Ｓ２１０）。適合条件とは、ＳＡＳであることを判定する条件である。本実施形態における適合条件は、例えば、無呼吸カウンタの値が、単位時間当たりに予め規定された閾値以上となることである。
【００４０】
このＳ２１０での判定の結果、適合条件を満たしていなければ（Ｓ２１０：ＮＯ）、制御部４４は、被験者６が適切な睡眠態様であるものとして、本睡眠検査処理を終了する。そして、制御部４４は、次の起動タイミングまで待機する。
【００４１】
一方、Ｓ２１０での判定の結果、適合条件を満たしていれば（Ｓ２１０：ＹＥＳ）、制御部４４は、被験者６の睡眠態様がＳＡＳであるものと判定する（Ｓ２２０）。
その後、制御部４４は、本睡眠検査処理を終了し、次の起動タイミングまで待機する。
【００４２】
すなわち、睡眠検査装置１では、体動データに基づいて、該被験者６の睡眠態様を推定する。特に、睡眠検査装置１は、腹部体動データにおけるピークと胸部体動データにおけるピークとが逆位相であり、かつ、腹部体動データと胸部体動データとの差分が、予め規定された閾値以上であれば、被験者の睡眠態様が睡眠時無呼吸であるものと推定する。そして、単位時間当たりに睡眠時無呼吸の回数が閾値以上となると、睡眠検査装置１は、被験者６の睡眠態様が睡眠時無呼吸症候群（即ち、ＳＡＳ）であるものと推定する。
［２．  実施形態の効果］
（２Ａ）  発明者らは、就寝中の子供が無呼吸睡眠である場合と無呼吸睡眠でない場合とで、その子供の体動に違いが存在するとの知見を得た。具体的には、ＳＡＳである場合、睡眠時に無呼吸である睡眠時無呼吸が継続した後に努力呼吸が行われる。この努力呼吸を就寝中の子供が行った場合、腹部における荷重の推移と、胸部における荷重の推移とが逆位相となる、即ち反転するとの知見である。さらに、睡眠時の子供が努力呼吸を行った場合、腹部における荷重の推移（即ち、体動）と胸部における荷重の推移（即ち、体動）との差分が大きくなるとの知見が得られた。
【００４３】
（２Ｂ）睡眠検査処理によれば、これらの知見に基づく条件１及び条件２の双方を満たした場合に、そのタイミングを努力呼吸のタイミングとして特定できる。
したがって、睡眠検査装置１によれば、子供を被験者６とした場合に、努力呼吸が実施されたタイミングを特定でき、その努力呼吸が実施されたタイミングの前に睡眠時無呼吸が発生していることを特定できる。
【００４４】
（２Ｃ）  そして、睡眠検査処理では、その努力呼吸が、単位時間当たりに閾値以上の回数、観測されると、被験者６の睡眠態様が睡眠時無呼吸症候群であるものと推定している。
【００４５】
したがって、睡眠検査装置１によれば、被験者６の睡眠態様が睡眠時無呼吸症候群であることを推定できる。
（２Ｄ）  特に、睡眠検査装置１においては、シート状に形成された感圧センサ１０を用いるため、その感圧センサ１０上に被験者６が寝ているだけで、被験者６の腹部体動データ及び胸部体動データを取得できる。そして、その取得した腹部体動データ及び胸部体動データに基づいて、被験者６の睡眠態様が睡眠時無呼吸症候群であるか否かを判定できる。
【００４６】
すなわち、睡眠検査装置１によれば、被験者６にセンサを装着することなく、被験者６の睡眠態様を推定でき、被験者６が子供であっても、その被験者６の睡眠態様を推定できる。
【００４７】
（２Ｅ）  ところで、睡眠時無呼吸症候群は、睡眠時無呼吸が継続した後に努力呼吸が行われる、という、一連の症状が繰り返され、周期性を有する。一方で、一連の症状に周期性が認められなければ、偶発的な睡眠時無呼吸である可能性が高く、睡眠時無呼吸症候群における睡眠時無呼吸である可能性は低い。
【００４８】
そこで、睡眠検査装置１では、努力呼吸のタイミングに周期性が認められない場合に、無呼吸カウンタの値を１つデクリメントしている。
この結果、睡眠検査装置１によれば、被験者６の睡眠態様が、睡眠時無呼吸症候群であるか否かの判定精度を向上させることができる。
【００４９】
（２Ｆ）  なお、睡眠検査処理では、体動マップを表示装置５４に表示している。この結果、睡眠検査装置１によれば、当該装置の利用者（例えば、医師）に体動マップを認識させることができ、被験者６の睡眠態様の正確な判定に用いる情報を利用者に提示できる。
［３．  その他の実施形態］
以上、本発明の実施形態について説明したが、本発明は上記実施形態に限定されるものではなく、本発明の要旨を逸脱しない範囲において、様々な態様にて実施することが可能である。
【００５０】
（３Ａ）  上記実施形態における制御装置４０が実行する機能の一部または全部は、一つあるいは複数のＩＣ等によりハードウェア的に構成されていてもよい。
（３Ｂ）  上記実施形態においては、ＲＯＭ４６にプログラムが格納されていたが、プログラムを格納する記憶媒体は、これに限るものではなく、半導体メモリなどの非遷移的実体的記憶媒体に格納されていてもよい。
【００５１】
（３Ｃ）  また、制御部４４は非遷移的実体的記録媒体に格納されたプログラムを実行してもよい。このプログラムが実行されることで、プログラムに対応する方法が実現される。
【００５２】
（３Ｄ）  なお、上記実施形態の構成の一部を省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【００５３】
（３Ｅ）上記実施形態の説明で用いる符号を特許請求の範囲にも適宜使用しているが、各請求項に係る発明の理解を容易にする目的で使用しており、各請求項に係る発明の技術的範囲を限定する意図ではない。
［４．  対応関係の一例］
睡眠検査処理のＳ１１０，Ｓ１７０を実行することで得られる機能が取得部の一例に相当する。Ｓ１４０，Ｓ１５０を実行することで得られる機能が生成部の一例に相当する。Ｓ１８０〜Ｓ２２０を実行することで得られる機能が推定部の一例に相当する。
【００５４】
さらに、Ｓ１４０を実行することで得られる機能が特定部の一例に相当する。Ｓ１７０を実行することで得られる機能が導出部の一例に相当する。Ｓ１５０を実行することで得られる機能が体動導出部の一例に相当する。
【００５５】
そして、Ｓ１６０を実行することで得られる機能が表示制御部の一例に相当する。Ｓ１３０を実行することで得られる機能が荷重導出部の一例に相当する。さらに、Ｓ１９０を実行することで得られる機能がカウント部の一例に相当する。
【符号の説明】
【００５６】
１…睡眠検査装置  ６…被験者  １０…感圧センサ  １２…荷重センサ  １４…シート部材  ４０…制御装置  ４２…記憶部  ４４…制御部  ４６…ＲＯＭ  ４８…ＲＡＭ  ５０…ＣＰＵ  ５４…表示装置
【図１】
2017189525.tif 000003
【図２】
2017189525.tif 000004
【図３】
2017189525.tif 000005
【図４】
2017189525.tif 000006
【図５】
2017189525.tif 000007